(57)【要約】【課題】スイッチ装置をねじ止めする際の作業性を向上させると共に、スイッチ取付カバーが外部から押されても変形し難くする。【解決手段】スイッチ装置７の左右両側部に凸部２２を突設すると共に、ロアカバー４の挿入用開口部の上部の左右両側部に凸部挿入用開口部９を形成する。スイッチ装置７の後部を挿入用開口部に前方から挿入すると共に、左右の両凸部２２を凸部挿入用開口部９に挿入し、スイッチ装置７を下方へ移動させる。これに伴い、各凸部２２がロアカバー４の裏側に配置され、各凸部２２とスイッチ装置７前部の張出し部１７との間でロアカバー４の挿入用開口部の周縁部が挟まれた状態となり、スイッチ装置７が仮固定された状態となる。【選択図】　図１
2004087376.tif 000002
【特許請求の範囲】
【請求項１】
挿入用開口部を有するスイッチ取付カバーと、
このスイッチ取付カバーの後部に設けられたスイッチ固定部と、
後部に被固定部を有すると共に、前部の周縁部に側方に向けて突出する張出し部を有するスイッチ装置とを備え、
前記スイッチ装置の後部を前記挿入用開口部に前方から挿入した後、前記被固定部を前記スイッチ固定部にねじ止めすることにより、前記張出し部が前記挿入用開口部を前方から覆う状態で前記スイッチ装置を取り付ける構成としたスイッチ装置の取付構造において、
前記スイッチ取付カバーにおいて前記挿入用開口部の両側部に、当該挿入用開口部と連通する凸部挿入用開口部を形成すると共に、前記スイッチ装置の両側部に、それぞれ側方へ向けて突出し前面が前記張出し部の背面との間に所定の隙間を形成する凸部を突設し、前記両凸部を前記凸部挿入用開口部に前方から挿入すると共に、前記スイッチ装置を前記凸部挿入用開口部の並び方向に対して交差する方向へ移動させることにより、前記両凸部が前記挿入用開口部の周縁部の裏側に配置される構成としたことを特徴とするスイッチ装置の取付構造。
【発明の詳細な説明】
【０００１】
【発明の属する技術分野】
本発明は、スイッチ装置の後部をスイッチ取付カバーの挿入用開口部に前方から挿入して、スイッチ装置後部の被固定部をスイッチ固定部にねじ止めする構成としたスイッチ装置の取付構造に関する。
【０００２】
【発明が解決しようとする課題】
例えば自動車のステアリングホイールにおいて、中央部におけるボス部の周囲部にオーディオ用のスイッチ装置を設ける構成としたものがある。このスイッチ装置の取付構造としては、次のような構成となっている。
【０００３】
すなわち、ステアリングホイールのボス部の周囲部には、比較的柔軟性のある合成樹脂製のロアカバーが設けられていると共に、このロアカバーの内部に金属製の支持板が設けられている。ロアカバーの立ち上がった側壁にはスイッチ挿入用の挿入用開口部が設けられていて、このロアカバーの側壁はスイッチ取付カバーとして利用される。また、上記支持板には、ねじ穴を有するスイッチ固定部が設けられている。これに対して、スイッチ装置には、後部にねじ挿通孔を有する被固定部が設けられていると共に、前部の周縁部に側方へ張り出す張出し部が設けられている。
【０００４】
スイッチ装置は、次のようにして取り付けられる。まず、スイッチ装置の後部を上記ロアカバーの挿入用開口部に前方から挿入し、被固定部のねじ挿通孔を、支持板におけるスイッチ固定部のねじ穴に一致させ、この状態で、ねじ挿通孔に上方から挿通したねじをねじ穴にねじ込むことにより、スイッチ装置をスイッチ固定部に固定する。この状態で、スイッチ装置の前部における張出し部が、ロアカバーの挿入用開口部を前方から覆った状態となる。
【０００５】
上記した従来構成のものでは、次のような欠点があった。まず、スイッチ装置の後部を挿入用開口部に挿入した状態で、被固定部をスイッチ固定部にねじ止めする際に、スイッチ装置が不安定であり、作業性が悪い。また、スイッチ装置が挿入される挿入用開口部を有するロアカバー（スイッチ取付カバー）は、比較的柔軟性のある合成樹脂製であるため、外部から力が加わると変形しやすく、挿入用開口部の周縁部がスイッチ装置に対して位置がずれて戻らなくなる可能性がある。
【０００６】
本発明は上記事情に鑑みてなされたものであり、その目的は、スイッチ装置をねじ止めする際の作業性を向上できると共に、スイッチ取付カバーが外部から押されても変形し難くできるスイッチ装置の取付構造を提供するにある。
【０００７】
【課題を解決するための手段】
上記の目的を達成するために、請求項１の発明は、挿入用開口部を有するスイッチ取付カバーと、このスイッチ取付カバーの後部に設けられたスイッチ固定部と、後部に被固定部を有すると共に、前部の周縁部に側方に向けて突出する張出し部を有するスイッチ装置とを備え、前記スイッチ装置の後部を前記挿入用開口部に前方から挿入した後、前記被固定部を前記スイッチ固定部にねじ止めすることにより、前記張出し部が前記挿入用開口部を前方から覆う状態で前記スイッチ装置を取り付ける構成としたスイッチ装置の取付構造において、
前記スイッチ取付カバーにおいて前記挿入用開口部の両側部に、当該挿入用開口部と連通する凸部挿入用開口部を形成すると共に、前記スイッチ装置の両側部に、それぞれ側方へ向けて突出し前面が前記張出し部の背面との間に所定の隙間を形成する凸部を突設し、前記両凸部を前記凸部挿入用開口部に前方から挿入すると共に、前記スイッチ装置を前記凸部挿入用開口部の並び方向に対して交差する方向へ移動させることにより、前記両凸部が前記挿入用開口部の周縁部の裏側に配置される構成としたことを特徴とする。
【０００８】
上記した構成において、スイッチ装置は、次のようにして取り付けられる。まず、スイッチ装置の後部をスイッチ取付カバーの挿入用開口部に前方から挿入すると共に、スイッチ装置の両凸部を凸部挿入用開口部に前方から挿入し、この後、スイッチ装置を前記凸部挿入用開口部の並び方向に対して交差する方向へ移動させる。これに伴い、スイッチ装置の両凸部が挿入用開口部の周縁部の裏側に配置されると共に、スイッチ装置前部の張出し部が挿入用開口部を前方から覆った状態となる。
【０００９】
この後、スイッチ装置の被固定部をスイッチ固定部にねじ止めする。このとき、スイッチ装置の各凸部と張出し部との間で、スイッチ取付カバーの挿入用開口部の周縁部が挟まれた状態となるため、スイッチ装置がスイッチ取付カバーに対して仮固定された状態となる。このため、被固定部をスイッチ固定部にねじ止めする際に、スイッチ装置が不安定にならず、ねじ止めする際の作業性を向上できる。また、スイッチ装置をねじ止めした状態において、スイッチ取付カバーの挿入用開口部の周縁部がスイッチ装置の各凸部と張出し部との間で挟まれた状態となっているため、スイッチ取付カバーに外部から力が加わったとしても、当該スイッチ取付カバーは変形し難い。このため、スイッチ取付カバーの挿入用開口部の周縁部がスイッチ装置に対して位置がずれて戻らなくなることを防止できる。
【００１０】
【発明の実施の形態】
以下、本発明を、ステアリングホイールに設けられるスイッチ装置の取付構造に適用した一実施例について図面を参照して説明する。まず、図２において、ステアリングホイール１の中央部には金属製の支持板２が設けられていて、この支持板２の中央部に、図示しないステアリングシャフトに取り付けるためのボス部３が設けられている。支持板２の下部の周囲部には、比較的柔軟性のある合成樹脂製のロアカバー４が設けられ、また、支持板２の外側には、複数本のスポーク部５を介してリング部６が設けられている。
【００１１】
上記ロアカバー４は側壁を有していて、本発明のスイッチ取付カバーを構成する。ロアカバー４の側壁には、図３及び図４にも示すように、スイッチ装置７を挿入するための挿入用開口部８が形成されている。この挿入用開口部８は、矩形状をなしている。ロアカバー４において、その挿入用開口部８の上部の左右両側部に位置させて、凸部挿入用開口部９が当該挿入用開口部８と連通して形成されている。
【００１２】
上記支持板２には、ロアカバー４の内部で、かつ挿入用開口部８の近傍に位置させて、２箇所にスイッチ固定部１０、１１が設けられている。これらスイッチ固定部１０，１１には、それぞれ位置決め用凸部１２とねじ穴１３とが１個ずつ形成されている。
【００１３】
一方、上記スイッチ装置７は、この場合オーディオ操作用のもので、前部に複数の操作ボタン１５が設けられている。スイッチ装置７の後部側の本体部１６の外形形状は、上記挿入用開口部９に対応するような矩形状に形成されている。スイッチ装置７の前部の周縁部には、本体部１６よりも側方に向けて突出するように張出し部１７が設けられている。この張出し部１７は、挿入用開口部９より大きく形成されている。本体部１６の後部には、２個の被固定部１８，１９が後方へ突出する状態で設けられている。これら被固定部１８，１９には、上記位置決め用凸部１２に嵌合する嵌合孔２０とねじ挿通孔２１とが１個ずつ形成されている。
【００１４】
そして、本体部１６の左右両側部の上部には、それぞれ側方へ突出する凸部２２が突設されている。これら凸部２２は前後方向に長い矩形状をなしていて、この凸部２２の前面２２ａと、これと対向する張出し部１７の背面１７ａとの間に、ロアカバー４の側壁の厚さより若干大きな隙間２３が形成されている。
【００１５】
次に、上記スイッチ装置７をステアリングホイール１に取り付ける際の手順を説明する。
まず、スイッチ装置７の後部を、ロアカバー４の挿入用開口部９に対して前方から挿入すると共に、左右の両凸部２２を凸部挿入開口部９に対して前方から挿入し、この後、スイッチ装置７全体を、凸部挿入用開口部９の並び方向（左右方向）に対して交差する方向である下方へ移動させ（図４の矢印Ａ参照）、被固定部１８，１９の各嵌合孔２０をスイッチ固定部１０，１１の位置決め用凸部１２に嵌合させる。このとき、スイッチ装置７を下方へ移動させることに伴い、図１に示すように、各凸部２２は、ロアカバー４における挿入用開口部９の周縁部の裏側に配置され、また、スイッチ装置７前部の張出し部１７が挿入用開口部８及び凸部挿入用開口部９を前方から覆った状態となる。
【００１６】
この後、被固定部１８，１９の各ねじ挿通孔２１に上方から挿通したねじ２５を、スイッチ固定部１０，１１のねじ穴１３にねじ込むことにより、スイッチ装置７をスイッチ固定部１０，１１に固定する。このとき、スイッチ装置７の各凸部２２と張出し部１７との間で、ロアカバー４の挿入用開口部８の周縁部が挟まれた状態となるため、スイッチ装置７がロアカバー４に対して仮固定された状態となる。このため、被固定部１８，１９をスイッチ固定部１０，１１にねじ止めする際に、スイッチ装置７が不安定にならず、ねじ止めする際の作業性を向上できる。
【００１７】
また、スイッチ装置７をねじ止めした状態において、ロアカバー４における挿入用開口部８の周縁部がスイッチ装置７の各凸部２２と張出し部１７との間で挟まれた状態となっているため、ロアカバー４に外部から力が加わったとしても（図１の矢印Ｂ参照）、当該ロアカバー４は変形し難い。このため、ロアカバー４の挿入用開口部８の周縁部がスイッチ装置７に対して位置がずれて戻らなくなることを防止できる。
【００１８】
本発明は、上記した実施例にのみ限定されるものではなく、次のように変形または拡張できる。
スイッチ装置７としては、オーディオ操作用のものに限られず、例えば自動車のスピードコントロール用のスイッチ装置でも良い。また、スイッチ装置７の取付対象部位としては、ステアリングホイール１以外であっても良い。
【００１９】
【発明の効果】
以上の説明から明らかなように、本発明によれば、スイッチ装置の両側部の凸部と張出し部との間で、スイッチ取付カバーの挿入用開口部の周縁部が挟まれた状態となるため、被固定部をスイッチ固定部にねじ止めする際に、スイッチ装置を仮固定でき、ねじ止めする際の作業性を向上できる。また、スイッチ取付カバーに外部から力が加わったとしても、当該スイッチ取付カバーは変形し難く、スイッチ取付カバーの挿入用開口部の周縁部がスイッチ装置に対して位置がずれて戻らなくなることを防止できる。
【図面の簡単な説明】
【図１】本発明の一実施例を示すもので、スイッチ装置を取り付けた状態において、図４中Ｘ−Ｘ線に相当する部分での縦断側面図
【図２】スイッチ装置をステアリングホイールに取り付けた状態での上方からの斜視図
【図３】要部の分解斜視図
【図４】図３とは異なる方向からの要部の分解斜視図
【符号の説明】
図面中、１はステアリングホイール、４はロアカバー（スイッチ取付カバー）、７はスイッチ装置、８は挿入用開口部、９は凸部挿入用開口部、１０，１１はスイッチ固定部、１３はねじ穴、１７は張出し部、１７ａは背面、１８，１９は被固定部、２１はねじ挿通孔、２２は凸部、２２ａは前面、２３は隙間、２５はねじを示す。
【図１】
2004087376.tif 000003
【図２】
2004087376.tif 000004
【図３】
2004087376.tif 000005
【図４】
2004087376.tif 000006